(57)【要約】【課題】筐体に対する放熱能力を確保する放熱部を小型にして軽量で長時間の良好な観察を可能にする内視鏡装置を提供する。【解決手段】内視鏡装置１は、挿入部２と、挿入部２の基端が接続され、把持部と成り得る操作部本体５と、操作部本体５の内部に設けられたライトガイド１０に照明孔を供給する光源部４Ｌと、操作部本体５に配置されて光源部４Ｌと熱的に接続される放熱部材４０と、を備え、放熱部材４０は、空気が流入する開放端４５ａと、空気流入部４５ａの面積よりも面積が小さい通気孔４６を有している。【選択図】図６Ｃ
2019179156.tif 000002
【特許請求の範囲】
【請求項１】
挿入部と、
前記挿入部の基端が接続され、把持部と成り得る筐体と、
前記筐体の内部に設けられた第１発熱部と、
前記筐体に配置されて前記第１発熱部と熱的に接続される放熱部材と、を備え、
前記放熱部材は、空気が流入する空気流入部と、前記空気流入部の流入部面積よりも面積が小さい空気流出部を有する
ことを特徴とする内視鏡装置。
【請求項２】
前記空気流出部は、前記第１発熱部で発生して前記放熱部材に伝導された熱を前記筐体の予め定めた方向に向かって排出するように配置される貫通孔である
ことを特徴とする請求項１に記載の内視鏡装置。
【請求項３】
前記筐体の内部に設けられた第２発熱部と、
前記第２発熱部が設けられ、前記筐体の外部に配置されて該第２発熱部と熱的に接続された被冷却部と、を更に備え、
前記空気流出部は、前記第１発熱部で発生して前記放熱部材に伝導されて放熱される熱を前記被冷却部の方向に向かって排出されるように配置される貫通孔である
ことを特徴とする請求項１に記載の内視鏡装置。
【請求項４】
前記空気流出部の配置位置は、前記第１発熱部よりも上側に位置して配置される
ことを特徴とする請求項１に記載の内視鏡装置。
【請求項５】
前記筐体の内部に設けられた第２発熱部と、
前記筐体の外部に配置されて前記第２発熱部に熱的に接続された被冷却部と、を更に備え、
前記空気流出部は、前記被冷却部に対向して配置される
ことを特徴とする請求項４に記載の内視鏡装置。
【請求項６】
前記空気流出部は、前記第１発熱部から伝導された熱を放出する前記放熱部材に設けられた空間と、前記第２発熱部から伝導された熱が放出される前記筐体と前記放熱部材との隙間とを連通する
ことを特徴とする請求項３に記載の内視鏡装置。
【請求項７】
前記第１発熱部は、光源であり、
前記光源と前記放熱部材とが一体になって、前記筐体に対して着脱可能な光源ユニットを構成する
ことを特徴とする請求項１に記載の内視鏡装置。
【請求項８】
前記放熱部材は、複数の放熱部と、前記複数の放熱部を立設する板部と、対向する前記放熱部の隙間の一部を塞いで前記隙間を放熱空間にする壁部と、を有し、
前記空気流入部は、前記放熱空間毎に対向する前記放熱部の端面側に設けられた開放端により構成されている
ことを特徴とする請求項１に記載の内視鏡装置。
【請求項９】
前記空気流出部は、前記壁部に１つ以上形成されて前記放熱空間に通じている
ことを特徴とする請求項８に記載の内視鏡装置。
【請求項１０】
前記第１発熱部は、光源である
ことを特徴とする請求項１に記載の内視鏡装置。
【請求項１１】
前記第２発熱部は、基板である
ことを特徴とする請求項３に記載の内視鏡装置。
【請求項１２】
前記板部に、前記壁部側の面に一方の開口を有し、該壁部の反対側の面に他方の開口を有する貫通孔を複数設けたことを特徴とする請求項８に記載の内視鏡装置。
【請求項１３】
前記板部の接合面に、前記操作部本体の被接合面によって開口が閉塞されて貫通孔に変化する複数の溝を設けた
ことを特徴とする請求項８に記載の内視鏡装置。
【請求項１４】
前記板部及び前記放熱部に、前記貫通孔に中途で交差する傾斜孔を設けた
ことを特徴とする請求項１２に記載の内視鏡装置。
【請求項１５】
前記貫通孔と前記傾斜孔との交差部は、前記第１発熱部より上側である
ことを特徴とする請求項１４に記載の内視鏡装置。
【請求項１６】
複数の放熱空間と、
各放熱空間に設けられ、外部の空気が流入する空気流入部と、
前記空気流入部よりも面積が小さく、前記放熱空間内の空気が流出する空気流出部と、
を有することを特徴とする放熱部材。
【請求項１７】
前記放熱空間は、
複数の放熱部と、
前記複数の放熱部が立設する板部と、
前記複数の放熱部の対向する放熱部間に設けられる隙間の一部を閉じて該隙間を放熱空間にする壁部と、を備え、
前記空気流入部は、前記対向する前記放熱部の端面側の開放端により構成される
ことを特徴とする請求項１６に記載の放熱部材。
【請求項１８】
前記空気流出部は、前記放熱空間を構成する前記壁部に１つ以上形成されている
ことを特徴とする請求項１７に記載の放熱部材。
【発明の詳細な説明】
【技術分野】
【０００１】
本発明は、把持部に発熱部材を有する内視鏡装置及び発熱部材の熱を放熱する放熱部材に関する。
【背景技術】
【０００２】
内視鏡装置は、工業分野及び医療分野で広く利用されている。工業分野で使用される内視鏡装置は、細長のボイラ、タービン、エンジンなどの内部に挿入して、表示装置に表示される対象部位の内視鏡画像から傷や腐食の有無等を観察する。
【０００３】
近年、内視鏡光源として発光素子が使用されている。発光素子は熱を発し、この熱が筐体に伝達されることによって該筐体の温度が徐々に上昇し、長時間にわたって観察することを困難になる。特許文献１には、把持可能な本体を有しながら、取扱いの容易な内視鏡装置が示されている。
【０００４】
この内視鏡装置において、光源部は、発熱部材である発光素子と、発光素子に接続されたライトガイドとを備えている。また、光源部には放熱部が熱的に接続されている。放熱部の一部は、外装体の内部に進入し、発光素子と熱的に接続されている。
【０００５】
放熱部は、外部に露出した複数の第１フィン及び複数の円盤状の第２フィンを有し、発光素子の発する熱を外部へ放出するヒートシンクとして機能している。そして、高温となる放熱部の少なくとも一部は、ユーザが接触することを防止するために遮蔽部によって覆われている。この遮蔽部の天板部には放熱部周囲の空気が流通する貫通孔が設けてある。  
【先行技術文献】
【特許文献】
【０００６】
【特許文献１】特許第５５１９２１１号公報
【発明の概要】
【発明が解決しようとする課題】
【０００７】
しかしながら、前記内視鏡装置では、遮蔽部で放熱部を覆うことによって放熱部の有する放熱性が損なわれるおそれがある。放熱性を高める目的で放熱部を大きくした場合には質量が重くなり携帯性に支障が生じるおそれがある。
【０００８】
本発明は上記事情に鑑みてなされたものであり、筐体に対する放熱能力を確保する放熱部を小型にして軽量で長時間の良好な観察を可能にする内視鏡装置を提供することを目的にしている。
【課題を解決するための手段】
【０００９】
本発明の一態様の内視鏡装置は、挿入部と、前記挿入部の基端が接続され、把持部と成り得る筐体と、前記筐体の内部に設けられたライトガイドに照明孔を供給する第1発熱部と、前記筐体に配置されて前記第１発熱部と熱的に接続される放熱部材と、を備え、前記放熱部材は、空気が流入する空気流入部と、前記空気流入部の流入部面積よりも面積が小さい空気流出部を有している。  
本発明の一態様の放熱部材は、複数の放熱空間と、各放熱空間に設けられ、外部の空気が流入する空気流入部と、前記空気流入部よりも面積が小さく、前記放熱空間内の空気が流出する空気流出部と、を有している。
【発明の効果】
【００１０】
本発明によれば、筐体に対する放熱能力を確保した小型の放熱部を備えて軽量化及び長時間の良好な観察を実現した内視鏡装置を提供できる。
【図面の簡単な説明】
【００１１】
【図１】内視鏡装置を説明する図
【図２】内視鏡装置の操作部を構成する光源ユニットが操作部本体から取り外された状態を説明する図
【図３】複数の放熱空間を有する放熱部材を示す図
【図４】図３の矢印Ｙ４−Ｙ４線断面図
【図５】図４の矢印Ｙ５方向から放熱部材を見た図
【図６Ａ】内視鏡装置の作用を説明する図であって、放熱空間及び隙間に熱が放熱されている状態を説明する図
【図６Ｂ】隙間及び放熱空間内に発生した温度が高い領域を説明する図
【図６Ｃ】隙間及び放熱空間内に放熱されて温められた空気を外部の温度の低い空気を引き入れつつ外部に放出する状態を説明する図
【図７Ａ】放熱部材を構成する板部に煙突効果現象を得るための貫通孔を設けた図
【図７Ｂ】放熱部材を構成する板部に煙突効果現象を得るための貫通孔となる溝を設けた図
【図７Ｃ】接合面を被接合面に配置することによって溝から貫通孔に変化した状態を説明する図
【図７Ｄ】板部の貫通孔に中途で交差する板部及び放熱部に設けた傾斜孔を説明する図
【図８】表示部背面に開口を有する凹部を備えた操作部本体を説明する図
【図９】専用の遮蔽部を設けた操作部本体と光源ユニットとの関係ウを説明する図
【図１０Ａ】放熱部材と光源部が一体な操作部本体とで構成される操作部を有する内視鏡装置を説明する図
【図１０Ｂ】光源部と操作部本体との関係を説明する図
【図１０Ｃ】図１０Ａの内視鏡装置の作用を説明する図であって、熱が放熱されている状態を説明する図
【発明を実施するための形態】
【００１２】
以下、図面を参照して本発明の実施の形態を説明する。  
なお、以下の説明に用いる各図において、各構成要素を図面上で認識可能な程度の大きさとするため、構成要素毎に縮尺を異ならせてあるものもある。即ち、本発明は、これらの図に記載された構成要素の数量、構成要素の形状、構成要素の大きさの比率、及び各構成要素の相対的な位置関係のみに限定されるものではない。
【００１３】
図１に示す内視鏡装置１は、例えば、工業分野において用いられる。内視鏡装置１の挿入部２は、例えば発電所内のガスタービン、配管等の被検体内に挿入可能な挿入部２を有する。
【００１４】
挿入部２は、その基端側が操作部３に取り付けられている。操作部３は、光源ユニット４を含む。操作部３は、例えば、略直方体形状をなす筐体としての操作部本体５を有している。光源ユニット４は、操作部本体５に一体に取り付けられている。光源ユニット４は、破線に示すように操作部本体５に対して着脱可能な構成であり、第１発熱部としての光源部４Ｌを備えている。
【００１５】
挿入部２は可撓性を有して管状である。挿入部２は、先端側から順に、先端部２ａ、湾曲部２ｂ、可撓管部２ｃを連設している。湾曲部２ｂは、例えば、図示しない複数の湾曲駒を連設している。本実施形態の湾曲部２ｂは、上下左右方向を含む挿入軸周りの全方向に能動的に湾曲する。  
なお、上下左右方向は、例えば、撮像素子によって撮像された画像の上下左右方向に対応付けて便宜的に定義されるものである。
【００１６】
操作部本体５は把持部としての機能を有し、使用者等が操作部本体５を把持することによって操作部３を把持して観察を行える。  
なお、符号５ａは脚部であり、脚部５ａは操作部本体５の下面から突設している。脚部５ａを机上等に配置することによって操作部本体５を把持することなく観察することが可能である。
【００１７】
操作部３は、把持された状態に応じて姿勢が変化し得るが、説明を簡略にするため、操作部３の方向を便宜上、長手方向の一端方向を先端方向、他端方向を基端方向と定義すると共に、長手軸に直交する４つの方向を上下左右方向と定義する。
【００１８】
図１、図２に示すように操作部本体５の先端側の上部には、扁平な略直方体形状をなす表示部６が一体的に設けられている。この表示部６の上面には、ＬＣＤ（liquid crystal display）等のディスプレイ６ａが組み込まれている。表示部６は、ディスプレイ６ａの視認性を向上させる目的で、操作部本体５の長手方向に対して予め定めた角度で傾斜している。  
【００１９】
なお、表示部背面（図２の符号６ｂ参照）も同様に予め定めた角度で傾斜している。符号６ｃは映像処理回路基板（以下、回路基板と略記する）であって第２発熱部である。符号６ｄは被冷却部である放熱板であって熱伝導性が良好な部材で形成されている。放熱板６ｄの一面には回路基板６ｃが固設されている。したがって、回路基板６ｃで発生した熱は、放熱板６ｄに伝導される。
【００２０】
本実施形態において、放熱板６ｄの一面の裏側である他面は、表示部背面６ｂに近接した本体内又は外側に露出している。このため、放熱板６ｄに伝導された熱は、表示部背面６ｂ側から外部に放出されるようになっている。
【００２１】
表示部６よりも基端側には、湾曲レバー７ａ、ポインティングデバイス７ｂ、複数のスイッチ７ｃ等が設けられている。湾曲レバー７ａは、湾曲部２ｂを湾曲操作する際に使用される。ポインティングデバイス７ｂは、ディスプレイ６ａ上に表示されるカーソル等を操作する際に使用される。複数のスイッチ７ｃには内視鏡装置１の各種機能等が割り当てられるようになっている。
【００２２】
図２に示すように操作部本体５の先端側は、光源ユニット４を着脱自在に取り付けるための光源取付部３０である。符号３１は被接合面であって表示部６の下方に位置して、表示部背面６ｂに交差している。この結果、表示部６は、光源ユニット４の後述する放熱部材４０の上面部を遮蔽する遮蔽部としての機能を兼用する。
【００２３】
被接合面３１には円形の嵌合凹部３２が設けられている。嵌合凹部３２の底面３２ｂからはライトガイド１０の基端部が突設されている。また、底面３２ｂには基板（図４の符号４ａ参照）の接点等に接続される図示されていない複数の端子が設けられている。
なお、第１発熱部は回路基板６ｃ等の基板であってもよく、第２発熱部は、光源部４Ｌ等の光源であってもよい。
【００２４】
図面を参照して光源ユニット４を説明する。  
図２に示すように光源ユニット４は、光源取付部３０に対して着脱自在な放熱部材４０と、光源部４Ｌと、を有している。
【００２５】
図３−図５を参照して放熱部材４０を説明する。  
放熱部材４０は、熱伝導性が良好な材料で形成され、例えばアルミダイカスト製である。図３、図４に示すように放熱部材４０は、放熱空間４２を設けて断面形状が略Ｌ字に形成されている。符号４３は接合側板部であり、符号４４は壁部である。
【００２６】
放熱空間４２は予め定めた形状であって、放熱部材４０に複数設けられている。このため、放熱部材４０には複数の放熱部（以下、フィンと記載する）４５が接合側板部４３から立設するように設けられている。そして、フィン４５の一端側の接合側板部４３側に壁部４４が設けられている。壁部４４は、対向するフィン４５の間に設けられた隙間の一端側の板部側隙間開口を塞いで、隙間の板部側に閉空間を設ける。
【００２７】
この結果、図３、図５に示すようにフィン４５間の隙間に壁４４を備えた放熱空間４２が設けられている。本実施形態において、放熱部材４０は、複数のフィン４５を備えたヒートシンクとして機能する。
【００２８】
図４に示すように接合側板部４３の端面は接合面４３ａである。環状凸部４１は、接合面４３ａから突出している。光源部４Ｌは、環状凸部４１の凹部である収容部４１ａ内に配設される。
【００２９】
光源部４Ｌは、主に、基板４ａと、基板４ａに実装された発光ダイオード等の発光素子４ｂと、を備える。基板４ａの実装面４ｃには図示されていない配線、接点部が設けられている。
【００３０】
基板４ａの実装面４ｃの反対面は、収容部４１ａの底面４１ｂに熱的に接続されて固定されている。この結果、発光素子４ｂで発生する熱が効率良く放熱部４０に伝導されていく。
【００３１】
接合側板部４３は、吸熱部として機能する。フィン４５は、接合面４３ａの裏側の反対面４３ｂ、壁４４の内面から立設している。壁部４４は、接合側板部４３の反対面４３ｂに対して角度θで傾いた傾斜面である。
【００３２】
図３−図５に示すように壁部４４の反対面４３側予め定めた位置には通気孔４６が形成されている。通気孔４６は、開口形状が円形の貫通孔である。通気孔４６は、各放熱空間４２と外部とを連通する。したがって、放熱空間４２においては、壁部４４の通気孔４６と、各フィン４５の端面側に設けられた開放端４５ａと、が外部に通じている。
【００３３】
なお、通気孔４６の数は本実施形態においては各放熱空間４２に１つである。しかし、各放熱空間４２に対して複数の通気孔４６を設けるようにしてもよい。
【００３４】
また、通気孔４６の開口の面積は、放熱空間４２に設けられた開放端４５ａの面積よりも小さい。また、通気孔４６の開口は、円形に限定されるものでは無く、楕円、長丸、多角形形状等であってもよい。
【００３５】
符号４７は逃がし部であって、挿入部２の基端側部２ｅが配置される、例えばＵ字形形状の、溝である。  
なお、図３−図５においては、光源ユニット４と操作部本体５とを着脱自在に取付け可能にする取付構造について図示を省略している。
【００３６】
図６Ａ−図６Ｃを参照して光源ユニット４を操作部本体５に一体に取り付けた内視鏡装置１の作用を説明する。  
内視鏡観察を行うに当たって、ユーザは、図６Ａに示すように光源ユニット４を操作部本体５に一体に取り付ける。このとき、ユーザは、壁部４４が操作部本体５の表示部背面６ｂに対向するようにして接合面４３ａを被接合面３１に配置する。
【００３７】
この結果、表示部背面６ｂと壁４４の外面との間に隙間Ｓ４４が形成され、隙間Ｓ４４内又はその近傍に放熱板６ｄの他面が配置され、通気孔４６が発光素子４ｂより上方に位置し、且つ、通気孔４６の開口が回路基板６ｃに対向して配置される。
【００３８】
ユーザは、電源をオン状態にして観察等を開始する。すると、発光素子４ｂが点灯し、撮像素子（不図示）が駆動し、ディスプレイ６上に付帯情報を含む内視鏡画像が表示される。発光素子４ｂ及びディスプレイ６の駆動に伴って、発光素子４ｂから熱が発生すると共に回路基板６ｃから熱が発生する。
【００３９】
発光素子４ｂで発生した熱は、接合側板部４３に伝導され、さらに各フィン４５に伝導されていく。一方、回路基板６ｃで発生した熱は、放熱板６ｄに伝導されていく。
【００４０】
接合側板部４３に伝導された熱及びフィン４５に伝導された熱は、放熱空間４２内に放熱される。一方、放熱板６ｄに伝導され熱は、隙間Ｓ４４に放熱される。
【００４１】
この結果、図６Ｂに示すように隙間Ｓ４４内には温度が外気温より高い領域Ｈ１が発生する。一方、放熱空間４２内においては周囲の温度に比べて温度が高い領域Ｈ２が発生する。隙間Ｓ４４と放熱空間４２とは通気孔４６によって連通している。
【００４２】
したがって、空気は、温度が高くなることによって密度が低下し、温度が高くなった空気には浮力が生じる。したがって、隙間Ｓ４４内の空気は、壁部４４の外面の斜面に沿って上昇しつつ放熱空間４２内の空気を通気孔４６から隙間Ｓ４４に取り入れて移動していく。通気孔４６は、ここで、空気流出部となる。
【００４３】
一方、放熱空間４２内においては、温度が高くなった空気が開放端４５ａから放熱空間４２外部の空気を該空間４２内に引き入れながら壁部４４に向かって上昇していく。開放端４５ａは、ここで、空気流入部となる。
【００４４】
これらの結果、内視鏡観察中、図６Ｃに示すように開放端４５ａ側から放熱空間４２外部の空気（温度が放熱空間４２内の温度より低い空気）を矢印Ｙ６ａに示すように引き入れながら、放熱空間４２内の温められた空気が矢印Ｙ６ｂに示すように上昇しつつ通気孔４６に向かって移動していく。その後、上昇する空気は、矢印Ｙｃに示すように通気孔４６を通過し、隙間Ｓ４４の温められた空気と共に矢印Ｙｄに示すように傾斜面に沿って上昇して操作部３の外部に放出されていく。
【００４５】
このように、対向するフィン４５と壁部４４とで形作られた放熱空間４２に通気孔４６と開放端４５ａとを設ける。このことによって、放熱空間４２内において温度の高くなった空気が開放端４５ａから該放熱空間４２内の温度より低い空気を外部から当該放熱空間４２内に引き入れながら上昇して通気孔４６から排出される煙突効果を得て、放熱能力の向上を実現することができる。  
このことによって、放熱部材４０を小型にして軽量で長時間の良好な観察を可能にする内視鏡装置を提供することができる。
【００４６】
なお、図７Ａに示すように放熱部材４０を構成する接合側板部４３に放熱空間４２より発光素子４ｂ側に複数の貫通孔４８ａを設けるようにしてもよい。貫通孔４８ａは、壁部４４側に開口する一方の開口である上端開口４８ａｕを有し、壁部４４の反対側である脚部５ａ側の面に他方の開口である下端開口４８ａｄを有している。
【００４７】
この構成によれば、発光素子４ｂに近接した貫通孔４８ａ内の空気は、放熱空間４２内の空気よりも先に暖められる。
【００４８】
このことによって、貫通孔４８ａ内の空気に温度差が発生する。すると、上述したように温度の高い空気に浮力が生じ、貫通孔４８ａの下端開口４８ａｄから貫通孔４８ａ内に空気を引き入れながら貫通孔４８ａ内を上昇して上端開口４８ａｕから放出されていく。
【００４９】
このように、複数の貫通孔４８ａを放熱空間４２より発光素子４ｂ側に設けたことによって、貫通孔４８ａが煙突効果現象を発生して隙間Ｓ４４に温められた空気が放出されてよりスムーズな放熱が実現される。
【００５０】
図７Ａにおいては接合側板部４３の発光素子４ｂ側に複数の貫通孔（以下、煙突孔と記載する）４８ａを設けている。しかし、図７Ｂに示すように接合側板部４３の接合面４３ａに開口を有する複数の溝４８ｂを設けるようにしてもよい。
【００５１】
このことによって、上述したように接合面４３ａを被接合面３１に配置することによって、溝４８ｂの開口が被接合面３１によって閉塞されて図７Ｃに示すように溝４８ｂが煙突孔４８ｃに変化する。
【００５２】
この結果、複数の煙突孔４８ｃをより発光素子４ｂに近接させて設けることができる。この結果、煙突孔４８ｃが煙突効果現象を上述した実施形態よりもより速やかに発生して上述と同様に隙間Ｓ４４に温められた空気を放出してより効率の良い熱を実現できる。
【００５３】
なお、上述した煙突孔４８ａ、４８ｃをフィン４５に一致させて設けた上で、図７Ｄに示すように例えば煙突孔４８ａの中途で交差する傾斜孔４８ｄをフィン４５及び接合側板部４３に設けるようにしてもよい。  
この構成において、傾斜孔４８ｄと煙突孔４８ａとの交差部４８ｅは、発光素子４ｂよりも壁部４４側、すなわち、発光素子４ｂよりも上側に位置している。
【００５４】
この構成によれば、煙突孔４８ａ内において煙突効果現象が発生して煙突孔４８ａの下端開口４８ａｄから煙突孔４８ａ内に空気を引き入れながら温められた空気が煙突孔４８ａ内を上昇していくとき、上昇する空気が交差部４８ｅで煙突孔４８ａ側と傾斜孔４８ｄ側とに分かれて外部に排出されていく。
【００５５】
このように、傾斜孔４８ｄ内を温められた空気が移動して放出されることによって、放熱空間４２内において発光素子４ｂより高い位置の空気が傾斜孔４８ｄ内を通過する空気によって温度が上昇されて更なる煙突効果を得ることができる。
【００５６】
なお、図示は省略するが傾斜孔４８ｄを前述した溝４８ｂの中途で上述したように交差させるように構成してもよい。
【００５７】
また、上述した実施形態においては、接合面４３ａを被接合面３１に配置した際に、表示部背面６ｂと壁４４の外面との間に隙間Ｓ４４が形成されるとしている。
【００５８】
しかし、図８に示すように表示部背面６ｂに開口を有する溝、あるいは、穴等の凹部６ｅを設ける。そして、その凹部６ｅ内に放熱板６ｄの他面側を配置させる。
【００５９】
この構成によれば、放熱板６ｄを他面側にフィン６ｆを備えるヒートシンク６ｈとして機能させた場合、フィン６ｆが凹部６ｅ内に配設されて破損が防止される。したがって、回路基板６ｃの熱をより効率良くヒートシンク６ｈによって凹部６ｅ内空間に放出することができる。
【００６０】
そして、凹部６ｅ内空間に放出された温められた空気は、上述したように壁部４４の傾斜面に沿って上昇して操作部３の外部に放出されていく。
【００６１】
また、上述した実施形態においては、表示部６が遮蔽部を兼用していた。しかし、図示されていない表示装置を操作部３の外部装置として備える内視鏡装置においては、図９に示すように操作部３を構成する操作部本体５Ｂには専用の遮蔽部５ｃが設けられている。
【００６２】
遮蔽部５ｂは、壁部４４に対向する遮蔽部斜面５ｄを備え、この遮蔽部斜面５ｄに開口を有し、予め定めた深さの凹部５ｅが設けられている。凹部５ｅの先端側は、破線に示すように開放されていても実線で示すように閉じていてもよい。  
操作部本体５Ｂのその他の構成は上述した操作部本体５と略同様であり、同部材には同符号を付して説明を省略する。
【００６３】
本実施形態において、放熱部材４０は、図７Ａで示した構成と同様に接合側板部４３に複数の煙突孔４８ａを備えている。
【００６４】
この構成によれば、光源ユニット４を操作部本体５Ｂに一体に取り付けた観察状態において、発光素子４ｂで発生した熱は、接合側板部４３に伝導され、各フィン４５に伝導される。
【００６５】
ここで、煙突孔４８ａ内の空気が発光素子４ｂに近接しているため、放熱空間４２内の空気よりも先に暖められる。このため、煙突孔４８ａ内の空気に温度差が発生する。そして、前述したように煙突孔４８ａが煙突効果現象を発生して上端開口４８ａｕから放出された温められた空気が凹部５ｅに供給される。
【００６６】
凹部５ｅは、隙間Ｓ４４と同様に機能する。すなわち、回路基板６ｃを有すること無く凹部５ｅ内に上端開口４８ａｕから放出された空気によって外気温より高い領域が発生する。
【００６７】
このことによって、上述した実施形態と同様に凹部５ｅ内の空気が壁部４４の外面の斜面に沿って上昇しつつ放熱空間４２内の空気を通気孔４６から凹部５ｅ内に取り入れて移動していく。
【００６８】
そして、放熱空間４２内においてもフィン４５から放熱される熱によって周囲の温度に比べて温度が高い領域が発生して温度が高くなった空気が前述と同様に開放端４５ａから放熱空間４２外部の空気を該空間４２内に引き入れながら壁部４４に向かって上昇していく。  
これらの結果、上述した実施形態と同様の作用及び効果を得ることができる。
【００６９】
また、上述した実施形態においては、放熱部材４０に光源部４Ｌを設けて光源ユニット４としている。しかし、放熱部材は単独な構成であってもよい。
【００７０】
図１０Ａに示すように操作部３Ａは、放熱部材４０Ａと、操作部本体５０とで構成される。放熱部材４０Ａは、前述した放熱部材４０とは異なり接合面４３ａが基端面である。言い換えれば、接合面４３ａから突出していた環状凸部４１は備えていない。その他の構成は上述した実施形態と同様である。
【００７１】
操作部本体５０は、光源部６０が一体に固定されて構成される。  
図１０Ｂに示すように光源部６０は、枠体６１と、基板６２と、発光素子６３と、を主に備えている。枠体６１は、円筒形状であって凹部６４を有している。発光素子６３は、基板６２に実装されている。基板６２の実装面６５には図示されていない配線、接点部が設けられている。基板６２の実装面６５の反対面は、枠体６１の底面６６に熱的に接続されて固定されている。符号６１ｂは背面である。
【００７２】
操作部本体５０には、円形の嵌合凹部５１が設けられている。嵌合凹部５１は収容部であって、光源部６０が配設される。嵌合凹部５１の底面５２からはライトガイド１０の基端部が突設している。また、底面５２には光源部６０の基板６２の接点等に接続される図示されていない複数の端子が設けられている。
【００７３】
そして、操作部本体５０の嵌合凹部５１内に光源部６０の枠体６１を配設することによって図１０Ａで示した操作部本体５０が構成される。
【００７４】
図１０Ｃに示すように内視鏡観察を行うに当たって、ユーザは、接合面４３ａを枠体６１の背面６１ｂに当接させて放熱部材４０Ａを操作部本体５０に一体に取り付ける。
【００７５】
この結果、前述したように表示部背面６ｂと壁４４の外面との間に隙間Ｓ４４が形成され、隙間Ｓ４４内又はその近傍に放熱板６ｄの他面が配置され、通気孔４６が発光素子４ｂより上方に位置して配置される。
【００７６】
本実施形態においては発光素子４ｂで発生した熱が枠体６１の背面６１ｂから接合面４３ａを介して接合側板部４３に伝導され、さらに各フィン４５に伝導されていく。
【００７７】
前述したように接合側板部４３に伝導された熱及びフィン４５に伝導された熱は、放熱空間４２内に放熱される。一方、放熱板６ｄに伝導され熱は、隙間Ｓ４４に放熱される。
【００７８】
したがって、前述したように、図６Ｃに示すように開放端４５ａ側から放熱空間４２外部の空気を引き入れながら、放熱空間４２内の温められた空気が上昇しつつ通気孔４６に向かって移動していく。その後、上昇する空気は、通気孔４６を通過し、隙間Ｓ４４の温められた空気と共に傾斜面に沿って上昇して操作部３の外部に放出されていく。  
このように、放熱部材４０Ａにおいても前述した煙突効果を得て、放熱能力の向上を実現することができる。
【００７９】
尚、本発明は、以上述べた実施形態のみに限定されるものではなく、発明の要旨を逸脱しない範囲で種々変形実施可能である。
【符号の説明】
【００８０】
１…内視鏡装置  ２…挿入部  ２ａ…先端部  ２ｂ…湾曲部  ２ｃ…可撓管部２ｅ…基端側部  ３…操作部  ４…光源ユニット  ４Ｌ…第１発熱部  ４ａ…基板  ４ｂ…発光素子  ５…操作部本体  ５ａ…脚部  ５ｂ…遮蔽部  ５ｄ…遮蔽部斜面  ５ｅ…凹部  ６…表示部  ６ｂ…表示部背面  ６ｃ…回路基板  ６ｄ…放熱板  ６ｅ…凹部    ７ａ…湾曲レバー  ７ｂ…ポインティングデバイス  １０…ライトガイド  ３０…光源取付部  ３１…被接合面  ３２…嵌合凹部  ４０…放熱部材  ４１…環状凸部  ４２…放熱空間  ４３…接合側板部  ４３ａ…接合面  ４４…壁  ４５…放熱部（フィン）  ４５ａ…開放端  ４６…通気孔  ４８ａ…貫通孔  ４８ｂ…溝  ４８ｄ…傾斜孔  ４８ｅ…交差部  
【図１】
2019179156.tif 000003
【図２】
2019179156.tif 000004
【図３】
2019179156.tif 000005
【図４】
2019179156.tif 000006
【図５】
2019179156.tif 000007
【図６Ａ】
2019179156.tif 000008
【図６Ｂ】
2019179156.tif 000009
【図６Ｃ】
2019179156.tif 000010
【図７Ａ】
2019179156.tif 000011
【図７Ｂ】
2019179156.tif 000012
【図７Ｃ】
2019179156.tif 000013
【図７Ｄ】
2019179156.tif 000014
【図８】
2019179156.tif 000015
【図９】
2019179156.tif 000016
【図１０Ａ】
2019179156.tif 000017
【図１０Ｂ】
2019179156.tif 000018
【図１０Ｃ】
2019179156.tif 000019